(57)【要約】【課題】  操作ツマミの操作が良好で、且つ、操作ツマミの操作の不必要な電源がＯＦＦ時において、設定された調整値が不用意に変化することの無い電子機器の操作装置を提供する。【解決手段】  本発明の電子機器の操作装置は、パネル１０に対して没入動作と突出動作の進退動作、及び回転動作が可能な操作ツマミ８を有する操作部材７と、この操作部材７を後退させて、操作ツマミ８の没入動作と突出動作を行わせるための駆動手段１１とを備え、操作部材７の前方部には、操作ツマミ８の押圧動作によって操作されるプッシュスイッチ１４が配置され、プッシュスイッチ１４の操作によって、操作ツマミ８が駆動手段１１を介して没入動作と突出動作を行わせるようにしたため、操作ツマミ８を自動的に操作できて、操作性の良好なものが得られると共に、プッシュスイッチ１４が操作部材７の前方部に配置されることによって、コンパクトで小型の操作装置を提供できる。【選択図】        図１
2005228038.tif 000002
【特許請求の範囲】
【請求項１】
パネルに対して没入動作と突出動作の進退動作、及び回転動作が可能な操作ツマミを有する操作部材と、この操作部材を後退させて、前記操作ツマミの没入動作と突出動作を行わせるための駆動手段とを備え、前記操作部材の前方部には、前記操作ツマミの押圧動作によって操作されるプッシュスイッチが配置され、前記プッシュスイッチの操作によって、前記操作ツマミが前記駆動手段を介して没入動作と突出動作を行わせるようにしたことを特徴とする電子機器の操作装置。
【請求項２】
電子機器の電源のＯＦＦ時、前記操作ツマミは、前記駆動手段によって没入動作を行わせるようにしたことを特徴とする請求項１記載の電子機器の操作装置。
【請求項３】
自動車のエンジンキーの操作によって、前記電子機器の電源が少なくともＯＦＦに切り換えられるようにしたことを特徴とする請求項２記載の電子機器の操作装置。
【請求項４】
前記エンジンキーの操作によって、前記電子機器の電源をＯＮにした時、前記操作ツマミは、前記駆動手段によって突出動作を行うようにしたことを特徴とする請求項３記載の電子機器の操作装置。
【請求項５】
前記エンジンキーの操作によって、前記電子機器の電源がＯＮ状態、又は、前記エンジンキーの操作によって、前記電子機器の電源が前記プッシュスイッチの操作によってＯＮ状態にすることが可能な時、前記プッシュスイッチによって、前記電子機器の電源をＯＮ、ＯＦＦの切換が可能となし、前記電子機器の電源がＯＮ状態の時、前記操作ツマミの押圧動作による前記プッシュスイッチの操作によって、前記電子機器の電源がＯＦＦとなって、前記操作ツマミは、前記駆動手段によって没入動作を行うと共に、前記電子機器の電源がＯＦＦ状態の時、前記操作ツマミの押圧動作による前記プッシュスイッチの操作によって、前記電子機器の電源がＯＮとなって、前記操作ツマミは、前記駆動手段によって突出動作を行うことを特徴とする請求項４記載の電子機器の操作装置。
【請求項６】
前記駆動手段は、ソレノイドと、前記操作部材に弾圧されたバネ部材とで構成されたことを特徴とする請求項４、又は５記載の電子機器の操作装置。
【請求項７】
複数の前記操作ツマミを有した複数の前記操作部材と複数の前記駆動手段を有し、前記操作部材のそれぞれに対応して、前記駆動手段を配置したことを特徴とする請求項４から６の何れかに記載の電子機器の操作装置。
【請求項８】
前記操作部材は、前記操作ツマミと、この操作ツマミを取り付けた軸部とで形成され、前記操作ツマミは、前記軸部に対して抜け止めされた状態で、前記軸部の軸線方向に移動可能に取り付けられたことを特徴とする請求項１から７の何れかに記載の電子機器の操作装置。
【請求項９】
前記プッシュスイッチが前記操作ツマミ内に収納されたことを特徴とする請求項８記載の電子機器の操作装置。
【請求項１０】
前記プッシュスイッチに接続された引出線と、前記駆動手段を取り付けたプリント配線基板を有し、前記引出線が前記軸部の中心部に設けられた孔を通って前記プリント配線基板に接続されたことを特徴とする請求項８、又は９記載の電子機器の操作装置。
【発明の詳細な説明】
【技術分野】
【０００１】
本発明は自動車に装着される音響機器やエアコン等に使用して好適な電子機器の操作装置に関する。
【背景技術】
【０００２】
図３は従来の電子機器の操作装置の概要を示す説明図で、次に、従来の電子機器の操作装置の構成を図３に基づいて説明すると、自動車の室内に組み込まれた音響機器やエアコン等の電子機器５１の操作装置５２は、プリント配線基板５３と、このプリント配線基板５３上に取り付けられたスイッチ５４を有する。
【０００３】
また、操作装置５２は、回転型可変抵抗器５５と、この回転型可変抵抗器５５に対して、回転と上下動可能に配置された操作軸５６と、この操作軸５６に取り付けられ、パネル５７に対して没入動作と突出動作の進退動作、及び回転動作が可能な操作ツマミ５８を有する。
【０００４】
そして、操作ツマミ５８は、手動によって操作可能となっており、パネル５７から突出した突出動作時、手動による操作ツマミ５８の回転によって、空調装置の送風量の調整や音響機器の音量の調整が行われる。
【０００５】
また、手動によって操作ツマミ５８が押し込まれると、操作ツマミ５８は、没入動作の状態となって、この状態が維持されると共に、操作ツマミ５８によって操作軸５６が移動し、これによってスイッチ５４が操作されて、マニュアルモードから自動モードに切り替わる。
このように、操作ツマミ５８を没入動作状態すると、操作ツマミ５８に不用意に接触することが無くなって、設定された調整値の変化が無くなる。
【０００６】
また、操作ツマミ５８が没入動作状態にある時、手動によって操作ツマミ５８を再度押し込むと、操作ツマミ５８が突出動作状態となって、再び、操作ツマミ５８は、手動による回転動作が可能な状態となる。
そして、操作ツマミ５８の押し込みよる没入動作状態の維持、及び、操作ツマミ５８の再度の押し込みによる突出動作は、所謂、プッシュープッシュ機構によって行われるようになっている。（例えば、特許文献１参照）
【０００７】
しかし、このような従来の電子機器の操作装置にあっては、所謂プッシュープッシュ機構が操作ツマミ５８を突出動作状態から没入動作状態にするためには、内蔵する復帰用のバネのバネ圧に抗して、かなりの力をかなりのストローク、つまり、突出動作状態から没入動作状態に到るストロークで加え続けて押し込みをしなければならない構造であるため、操作上不便である。
また、前述のような従来の電子機器の操作装置にあっては、操作ツマミ５８の突出動作状態から没入動作への移行、及び没入動作状態から突出動作への移行は、全て手動で行わねばならず、その操作が極めて面倒である。
【０００８】
また、操作ツマミ５８の突出動作状態で電子機器５１の電源がＯＦＦとなっても、操作ツマミ５８は突出動作状態にあり、このため、操作ツマミ５８に不用意に接触すると、設定された調整値が変化し、更に、操作ツマミ５８の没入動作状態で電子機器５１の電源がＯＮとなっても、操作ツマミ５８は没入動作状態にあり、調整作業を行う時、操作ツマミ５８の押し込み操作が必要となって、その操作性が悪くなる。
【０００９】
【特許文献１】特開平１０−５３０１８号公報
【発明の開示】
【発明が解決しようとする課題】
【００１０】
従来の電子機器の操作装置にあっては、操作ツマミ５８を、突出動作状態から没入動作状態に到るストロークで加え続けて押し込みをしなければならない構造であるため、操作上不便であるという問題がある。
また、操作ツマミ５８の突出動作状態から没入動作への移行、及び没入動作状態から突出動作への移行は、全て手動で行わねばならず、その操作が極めて面倒であるという問題がある。
【００１１】
また、操作ツマミ５８の突出動作状態で電子機器５１の電源がＯＦＦとなっても、操作ツマミ５８は突出動作状態にあり、このため、操作ツマミ５８に不用意に接触すると、設定された調整値が変化するという問題があるばかりか、操作ツマミ５８の没入動作状態で電子機器５１の電源がＯＮとなっても、操作ツマミ５８は没入動作状態にあり、調整作業を行う時、操作ツマミ５８の押し込み操作が必要となって、その操作性が悪くなるという問題がある。
【００１２】
そこで、本発明は操作ツマミの操作が良好で、且つ、操作ツマミの操作の不必要な電源がＯＦＦ時において、設定された調整値が不用意に変化することの無い電子機器の操作装置を提供することを目的とする。
【課題を解決するための手段】
【００１３】
上記課題を解決するための第１の解決手段として、パネルに対して没入動作と突出動作の進退動作、及び回転動作が可能な操作ツマミを有する操作部材と、この操作部材を後退させて、前記操作ツマミの没入動作と突出動作を行わせるための駆動手段とを備え、前記操作部材の前方部には、前記操作ツマミの押圧動作によって操作されるプッシュスイッチが配置され、前記プッシュスイッチの操作によって、前記操作ツマミが前記駆動手段を介して没入動作と突出動作を行わせるようにした構成とした。
【００１４】
また、第２の解決手段として、電子機器の電源のＯＦＦ時、前記操作ツマミは、前記駆動手段によって没入動作を行わせるようにした構成とした。
また、第３の解決手段として、自動車のエンジンキーの操作によって、前記電子機器の電源が少なくともＯＦＦに切り換えられるようにした構成とした。
【００１５】
また、第４の解決手段として、前記エンジンキーの操作によって、前記電子機器の電源をＯＮにした時、前記操作ツマミは、前記駆動手段によって突出動作を行うようにした構成とした。
【００１６】
また、第５の解決手段として、前記エンジンキーの操作によって、前記電子機器の電源がＯＮ状態、又は、前記エンジンキーの操作によって、前記電子機器の電源が前記プッシュスイッチの操作によってＯＮ状態にすることが可能な時、前記プッシュスイッチによって、前記電子機器の電源をＯＮ、ＯＦＦの切換が可能となし、前記電子機器の電源がＯＮ状態の時、前記操作ツマミの押圧動作による前記プッシュスイッチの操作によって、前記電子機器の電源がＯＦＦとなって、前記操作ツマミは、前記駆動手段によって没入動作を行うと共に、前記電子機器の電源がＯＦＦ状態の時、前記操作ツマミの押圧動作による前記プッシュスイッチの操作によって、前記電子機器の電源がＯＮとなって、前記操作ツマミは、前記駆動手段によって突出動作を行う構成とした。
【００１７】
また、第６の解決手段として、前記駆動手段は、ソレノイドと、前記操作部材に弾圧されたバネ部材とで構成された。
また、第７の解決手段として、複数の前記操作ツマミを有した複数の前記操作部材と複数の前記駆動手段を有し、前記操作部材のそれぞれに対応して、前記駆動手段を配置した構成とした。
【００１８】
また、第８の解決手段として、前記操作部材は、前記操作ツマミと、この操作ツマミを取り付けた軸部とで形成され、前記操作ツマミは、前記軸部に対して抜け止めされた状態で、前記軸部の軸線方向に移動可能に取り付けられた構成とした。
また、第９の解決手段として、前記プッシュスイッチが前記操作ツマミ内に収納された構成とした。
【００１９】
また、第１０の解決手段として、前記プッシュスイッチに接続された引出線と、前記駆動手段を取り付けたプリント配線基板を有し、前記引出線が前記軸部の中心部に設けられた孔を通って前記プリント配線基板に接続された構成とした。
【発明の効果】
【００２０】
本発明の電子機器の操作装置は、パネルに対して没入動作と突出動作の進退動作、及び回転動作が可能な操作ツマミを有する操作部材と、この操作部材を後退させて、操作ツマミの没入動作と突出動作を行わせるための駆動手段とを備え、操作部材の前方部には、操作ツマミの押圧動作によって操作されるプッシュスイッチが配置され、プッシュスイッチの操作によって、操作ツマミが駆動手段を介して没入動作と突出動作を行わせるようにした構成とした。
このように、操作ツマミの押圧動作によるプッシュスイッチの操作によって、操作ツマミが駆動手段を介して没入動作と突出動作を行わせるようにすると、軽い力で操作できる操作性の良好なものが得られると共に、プッシュスイッチが操作部材の前方部に配置されることによって、コンパクトで小型の操作装置を提供できる。
【００２１】
また、電子機器の電源のＯＦＦ時、操作ツマミは、駆動手段によって没入動作を行わせるようにしたため、操作ツマミの操作の不要な状態では、操作ツマミを不用意に回転することが無く、従って、設定された調整値が維持できると共に、駆動手段によって没入動作が行われるため、操作ツマミを自動的に操作できて、操作性の良好なものが得られる。。
【００２２】
また、自動車のエンジンキーの操作によって、電子機器の電源が少なくともＯＦＦに切り換えられるようにしたため、エンジンキーのＯＦＦ操作による電子機器の電源のＯＦＦ時、操作ツマミが確実に没入動作となり、操作ツマミの操作が確実で、且つ、良好なものが得られる。
【００２３】
また、エンジンキーの操作によって、電子機器の電源をＯＮにした時、操作ツマミは、駆動手段によって突出動作を行うようにしたため、エンジンキーのＯＮ操作と同時に操作ツマミを自動的に突出動作状態に操作できて、操作性が良好であるばかりか、特に、常用的に使用される空調機に適用して好適である。
【００２４】
また、エンジンキーの操作によって、電子機器の電源がＯＮ状態、又は、エンジンキーの操作によって、電子機器の電源がプッシュスイッチの操作によってＯＮ状態にすることが可能な時、プッシュスイッチによって、電子機器の電源をＯＮ、ＯＦＦの切換が可能となし、電子機器の電源がＯＮ状態の時、操作ツマミの押圧動作によるプッシュスイッチの操作によって、電子機器の電源がＯＦＦとなって、操作ツマミは、駆動手段によって没入動作を行うと共に、電子機器の電源がＯＦＦ状態の時、操作ツマミの押圧動作によるプッシュスイッチの操作によって、電子機器の電源がＯＮとなって、操作ツマミは、駆動手段によって突出動作を行うため、エンジンキー側が基準となって操作ツマミの動作を行わせることができ、従って、プッシュスイッチによって電源がＯＮ状態であっても、エンジンキーのＯＦＦ操作による電源のＯＦＦ時、操作ツマミが確実に没入動作となり、操作ツマミの操作が確実で、且つ、良好なものが得られる。
【００２５】
また、駆動手段は、ソレノイドと、操作部材に弾圧されたバネ部材とで構成されたため、その構造が簡単で、安価で、生産性の良好なものが得られる。
【００２６】
また、複数の操作ツマミを有した複数の操作部材と複数の駆動手段を有し、操作部材のそれぞれに対応して、駆動手段を配置したため、それぞれの操作ツマミは、操作性の良好なものが得られる。
【００２７】
また、操作部材は、操作ツマミと、この操作ツマミを取り付けた軸部とで形成され、操作ツマミは、軸部に対して抜け止めされた状態で、軸部の軸線方向に移動可能に取り付けられたため、操作ツマミの取付、及び操作が簡単であると共に、操作部材をコンパクトにすることが出来て、小型のものが得られる。
【００２８】
また、プッシュスイッチが操作ツマミ内に収納されたため、プッシュスイッチの取付がコンパクトに出来て、小型のものが得られる。
【００２９】
また、プッシュスイッチに接続された引出線と、駆動手段を取り付けたプリント配線基板を有し、引出線が軸部の中心部に設けられた孔を通ってプリント配線基板に接続されたため、引出線の導出が簡素化できると共に、コンパクトで、小型のものが得られる。
【発明を実施するための最良の形態】
【００３０】
本発明の電子機器の操作装置の図面を説明すると、図１は本発明の電子機器の操作装置に係り、操作ツマミが没入動作にある状態を示す説明図、図２は本発明の電子機器の操作装置に係り、操作ツマミが突出動作にある状態を示す説明図である。
【００３１】
次に、本発明の電子機器の操作装置の構成を図１、図２に基づいて説明すると、自動車の室内に組み込まれた音響機器や空調機（エアコン）等の電子機器の操作装置１は、プリント配線基板２と、このプリント配線基板２上に取り付けられ、回転型可変抵抗器、回転型スイッチやエンコーダ等からなる回転型電気部品３と、この回転型電気部品３に取り付けられた操作部材７と、この操作部材７を操作するための駆動手段１１を有する。
【００３２】
また、回転型電気部品３は、カバー部４と、このカバー部４によって回転可能に支持された筒状の回転軸５と、カバー部４内に位置した状態で、回転軸５に取り付けられた回転体６を有する。
そして、この回転型電気部品３は、回転軸５が回転すると、ここでは図示しないが、回転体６を介して、抵抗体や接点等の電気素子の調整が行われるようになっている。
【００３３】
また、操作部材７は、操作ツマミ８と、この操作ツマミ８を移動可能に取り付ける軸部９とで構成され、操作ツマミ８は、内部に空洞部８ａを備えた箱状部８ｂを有し、また、軸部９は、操作ツマミ８を取り付けるために前方部に設けられた取付部９ａと、中心部に設けられた孔９ｂを有する筒状部９ｃと、筒状部９ｃの外面に軸線方向に設けられた突条部からなる係合部９ｄと、筒状部９ｃの後部に設けられた鍔部９ｅを有する。
【００３４】
そして、操作ツマミ８は、軸部９の取付部９ａに対して抜け止めされた状態で、軸部９の軸線方向に移動可能に取り付けられると共に、この操作部材７は、筒状部９ｃが回転軸５内に挿入された状態で、軸部９が回転軸５内を貫通して配置されている。
【００３５】
また、軸部９と操作ツマミ８は一体として軸線方向に移動できると共に、回転方向に自由に回転ができるようになっている。
そして、操作部材７が回転型電気部品３に取り付けられた際、筒状部９ｃの外面に軸線方向に設けられた突条部からなる係合部９ｄと、回転軸５の内面に軸線方向に設けられた凹状部からなる係合部５ａとがスプライン結合した状態で係合している。
【００３６】
その結果、操作ツマミ８を回転した時、軸部９を介して回転軸５を回転すると共に、操作ツマミ８、及び軸部９が進退動作（上下動）した時、回転軸５を進退動作することなく移動するようになっている。
また、操作ツマミ８と軸部９が進退動作した際、操作ツマミ８は、パネル１０の孔１０ａから突出（突出動作）したり、孔１０ａ内に没入（没入動作）したりするようになっている。
【００３７】
また、駆動手段１１は、プリント配線基板２に取り付けられたソレノイド等からなる電磁機器１２と、軸部９が挿通された状態で、軸部９の鍔部９ｅとプリント配線基板２との間に介在されたコイルバネ等からなるバネ部材１３とで構成されている。
【００３８】
この電磁機器１２は、コイル部１２ａと、コイル部１２ａの電磁気によって可動する作動部１２ｂとで形成され、また、バネ部材１３は、操作ツマミ８、及び軸部９を常時下方向（操作ツマミ８を没入する方向）に弾圧している。
そして、バネ部材１３に抗して軸部９が作動部１２ｂによって押圧、移動した時、操作ツマミ８がパネル１０の孔１０ａから突出（突出動作）して、操作ツマミ８は、回転動作が可能となり、また、操作ツマミ８の突出動作状態から作動部１２ｂのコイル部１２ａからの吸引力が解除された時、操作ツマミ８、及び軸部９がバネ部材１３によって引き戻されて、操作ツマミ８がパネル１０の孔１０ａ内に没入（没入動作）して、操作ツマミ８は、回転動作が不能な状態となる。
【００３９】
プッシュスイッチ１４は、ケース１５と、このケース１５内に取り付けられた固定接点１６、及び可動接点１７と、可動接点１７を移動させるためにケース１５に移動可能に取り付けられたステム１８と構成されると共に、ケース１５の下面には、固定接点１６が接続された小さいプリント基板１９が設けられている。
【００４０】
このプッシュスイッチ１４とプリント基板１９は、操作ツマミ８の空洞部８ａ内に位置した状態で、取付部９ａに適宜手段によって取り付けられると共に、操作ツマミ８の押圧動作によって、ステム１８を介して可動接点１７が移動して固定接点１６に接触し、電気信号が出されるようになる。
【００４１】
また、操作ツマミ８の押圧動作を解除すると、可動接点１７自体のバネ性により、可動接点１７は押圧前の状態に戻り、固定接点１６への接触が断たれると共に、ステム１９と操作ツマミ８が押圧前の状態に戻るようになっている。
【００４２】
そして、固定接点１６の接続された引出線２０は、軸部９の孔９ｂを通って後部に引き出されると共に、プリント配線基板２に接続され、プッシュスイッチ１４からの電気信号がプリント配線基板２に導出されるようになる。
【００４３】
このような構成によって本発明の電子機器の操作装置が形成され、次に、本発明の電子機器の操作装置の動作を説明すると、この電子機器の操作装置が自動車に組み込まれた際、電子機器はエンジンキー（図示せず）のＯＮ（ＡＣＣの位置とエンジン駆動状態の位置）、ＯＦＦの操作によって、電源がＯＮ、ＯＦＦするようになっている。
【００４４】
先ず、エンジンキーがＯＦＦ状態で、電子機器の電源がＯＦＦの時は、図１に示すように、操作ツマミ８、及び軸部９がバネ部材１３によって牽引され、操作ツマミ８がパネル１０の孔１０ａ内に没入（没入動作）した状態となって、操作ツマミ８は、回転動作ができないような状態となっているが、プッシュスイッチ１４は操作可能となっている。
【００４５】
次に、エンジンキーのＯＮへの操作によって電子機器の電源をＯＮ状態すると、図２に示すように、電磁機器１２のコイル部１２ａに電流が流れ、これによって、コイル部１２ａに電磁気が発生して、作動部１２ｂがコイル部１２ａ側に吸引される。
その結果、作動部１２ｂによって、軸部９がバネ部材１３に抗して移動し、操作ツマミ８がパネル１０の孔１０ａから突出（突出動作）して、この状態が維持されると共に、操作ツマミ８は、回転動作が可能な状態となり、この状態で操作ツマミ８を回転すると、軸部９を介して回転型電気部品３の回転軸５が回転して、音響機器や空調機等の電子機器の調整が行われる。
【００４６】
次に、この図２の状態で、エンジンキーのＯＦＦへの操作によって電子機器の電源をＯＦＦ状態すると、図１に示すように、コイル部１２ａへの電流がストップして、電磁気が無くなるため、作動部１２ｂの吸引力が解除され、その結果、操作ツマミ８、及び軸部９がバネ部材１３によって牽引され、操作ツマミ８がパネル１０の孔１０ａ内に没入（没入動作）した状態となって、操作ツマミ８は、回転動作ができないような状態に戻る。
即ち、操作ツマミ８は、駆動手段１１によって、パネル１０に対して没入動作と突出動作の進退動作が自動的に行われるようになる。
【００４７】
また、エンジンキーのＯＮへの操作によって電子機器の電源がＯＮされ、操作ツマミ８が突出動作の時、操作ツマミ８を押圧してプッシュスイッチ１４を操作すると、電子機器の電源がＯＦＦとなって、図１に示すように、コイル部１２ａへの電流がストップして、電磁気が無くなるため、作動部１２ｂの吸引力が解除され、その結果、操作ツマミ８、及び軸部９がバネ部材１３によって牽引され、操作ツマミ８がパネル１０の孔１０ａ内に没入（没入動作）した状態となって、操作ツマミ８は、回転動作ができないような状態に戻る。
【００４８】
更に、操作ツマミ８が没入動作の時、操作ツマミ８を押圧してプッシュスイッチ１４を操作すると、電子機器の電源がＯＮとなって、図２に示すように、電磁機器１２のコイル部１２ａに電流が流れ、これによって、コイル部１２ａに電磁気が発生して、作動部１２ｂがコイル部１２ａ側に吸引される。
その結果、作動部１２ｂによって、軸部９がバネ部材１３に抗して移動し、操作ツマミ８がパネル１０の孔１０ａから突出（突出動作）して、この状態が維持されると共に、操作ツマミ８は、回転動作が可能な状態となる。
【００４９】
以上のように、本発明を実施した電子機器は、操作ツマミ８を極めて軽い操作力で押圧してプッシュスイッチ１４を操作することにより、任意に操作ツマミ８を突出動作状態、没入動作状態に変更することができる。
また、エンジンキーの操作が基準となって、電子機器の電源がＯＮ、ＯＦＦされるようになっており、更に、電源のＯＮ、ＯＦＦに従って操作ツマミ８が自動的に突出動作状態、没入動作状態に移行し、また、電源のＯＮ時に、操作ツマミ８を極めて軽い操作力で押圧してプッシュスイッチ１４を操作することにより、任意に操作ツマミ８を突出動作状態、没入動作状態に変更することができる。
【００５０】
なお、上記実施例において、複数の操作ツマミ８を有した複数の操作部材７のそれぞに対応して、複数の駆動手段１１を配置しても良い。
また、電子機器の電源がＯＮした時に操作ツマミ８を自動的に突出動作状態にせず、操作ツマミ８を押圧してプッシュスイッチ１４を操作した時に操作ツマミ８を突出させるようにしても良い。
また、操作ツマミ８の没入動作状態は、操作ツマミ８の押圧面が必ずしもパネル１０面より奥に位置する必要はなく、操作ツマミ８の回転操作を困難な程度にパネル１０面から突出しても良い。
【図面の簡単な説明】
【００５１】
【図１】本発明の電子機器の操作装置に係り、操作ツマミが没入動作にある状態を示す説明図。
【図２】本発明の電子機器の操作装置に係り、操作ツマミが突出動作にある状態を示す説明図。
【図３】従来の電子機器の操作装置の概要を示す説明図。
【符号の説明】
【００５２】
１：操作装置
２：プリント配線基板
３：回転型電気部品
４：カバー部
５：回転軸
５ａ：係合部
６：回転体
７：操作部材
８：操作ツマミ
８ａ：空洞部
８ｂ：箱状部
９：軸部
９ａ：取付部
９ｂ：孔
９ｃ：筒状部
９ｄ：係合部
９ｅ：鍔部
１０：パネル
１０ａ：孔
１１：駆動手段
１２：電磁機器
１２ａ：コイル部
１２ｂ：作動部
１３：バネ部材
１４：プッシュスイッチ
１５：ケース
１６：固定接点
１７：可動接点
１８：ステム
１９：プリント基板
２０：引出線
【図１】
2005228038.tif 000003
【図２】
2005228038.tif 000004
【図３】
2005228038.tif 000005